(57)【要約】      （修正有）【課題】遊技設備を施工する工期を短くし、その費用を安くし、さらに紙幣の搬送障害や回収障害を確実に防止することができる信頼性の高い紙幣搬送装置を提供する。【解決手段】複数の紙幣受入部４から投入された紙幣Ｓを、搬送経路に沿って紙幣収納部に搬送する紙幣搬送装置１において、紙幣搬送通路３を挟んで対称に配設された一対の外形Ｄ字状の紙幣搬送ローラ７と、この一対の紙幣搬送ローラ７を常時対称に保って回転駆動する駆動手段と、搬送される紙幣の傾きを矯正する紙幣搬送ガイド部とを備え、一対の紙幣搬送ローラ７は、そのＤ字状外形を成す円弧状周部７ａが相互に対向するとき紙幣Ｓを挟持して搬送通路３に沿って搬送し、Ｄ字状外形を成す扁平周部７ｂが相互に対向するとき紙幣Ｓの挟持を解除し、紙幣Ｓの挟持が解除されるとき紙幣Ｓは紙幣搬送ガイド部に案内されて、その傾きが自重により搬送方向に沿う向きに修整される。【選択図】図４
2007317049.tif 000002
【特許請求の範囲】
【請求項１】
複数の紙幣受入部から投入された紙幣を、搬送経路に沿って纏めて収納する紙幣収納部に搬送する紙幣搬送装置において、
前記搬送経路を構成する紙幣搬送通路を挟んで対称に配設された対をなす外形Ｄ字状の紙幣搬送ローラと、前記対をなす紙幣搬送ローラを常時対称に保って回転駆動する駆動手段と、前記搬送通路に沿って搬送される紙幣の傾きを修整する紙幣搬送ガイド部とを備え、
前記対をなす紙幣搬送ローラは、前記駆動手段により回動され、そのＤ字状外形を成す円弧状周部が相互に対向するとき前記紙幣を挟持して前記搬送通路に沿って搬送し、前記Ｄ字状外形を成す扁平周部が相互に対向するとき前記紙幣の挟持を解除して搬送を中断し、前記紙幣の挟持が解除されるとき、前記紙幣は前記紙幣搬送ガイド部に案内されて、その自重により搬送の傾きが搬送方向に沿う向きに修整されることを特徴とする紙幣搬送装置。
【請求項２】
前記搬送通路に沿って紙幣を搬送する搬送手段を備え、少なくとも前記搬送通路に沿う前記紙幣の搬送方向の長さを超える範囲に、前記紙幣の搬送手段として前記対をなす外形Ｄ字状の紙幣搬送ローラからなる紙幣の搬送手段を配置したことを特徴とする請求項１に記載の紙幣搬送装置。
【発明の詳細な説明】
【技術分野】
【０００１】
本発明は、例えば複数のパチンコ台等の遊技台を並べて備えた遊技設備において、隣接する遊技台間に配設した遊技媒体貸出機から投入された紙幣を、遊技台列の背面側等に設けた紙幣搬送経路に沿って遊技台列の一端側に設けた紙幣回収装置に搬送して回収する紙幣搬送装置に関し、特に紙幣搬送経路に沿って搬送される紙幣の搬送姿勢を揃えて紙幣回収装置に回収する紙幣搬送装置に関する。
【背景技術】
【０００２】
従来のこの種の紙幣搬送装置としては、特許第２９４０２３３号公報（特許文献１）に開示されたものが知られている。図７は、この従来の紙幣搬送装置６１を備えた紙幣回収装置６０の要部の構成を模式的に示す概略ブロック図である。図に示すように、この紙幣回収装置６０は、複数個の紙幣用受入部４に投入された紙幣が、その各受入部４で良紙幣と鑑別されたときに受け入れられ、次いでその各受入部４の出口側に設置される一時保留部６３に保留され、後に回収されて共通な収納部６５に収納される装置であって、各一時保留部６３と、収納部６５とを直列に接続する閉回路を形成し一方向に循環する搬送手段６２と、この搬送手段６２上の複数箇所に設置され、各一時保留部６３を通過するとき、そこに保留中の紙幣を把持し、次に前記収納部６５を通過するとき、そこで紙幣を解放してその紙幣を前記収納部６５に収納させる回収ユニット６４とを備えるものである。
【０００３】
これによれば、回収ユニット６４が搬送手段６２とともに移動しながら、各一時保留部６３を通過するとき、そこに保留中の紙幣があればそれを把持し、次に収納部６５を通過するとき、そこで紙幣を開放して収納させることができるから、紙幣の搬送途中において搬送通路内の紙幣の位置ずれが生じることがなく、紙幣の搬送障害や回収障害を防止して信頼性の高い紙幣回収装置６０を提供することができる。
【０００４】
また、他の従来のこの種の紙幣搬送装置としては、特開平６−１７９５４６号公報（特許文献２）に開示されたものが知られている。図８は、この従来の紙幣搬送装置７１の要部の機構を示す正面図である。図に示すように、この紙幣搬送装置７１は、搬送経路３を間にして紙幣Ｓに接触する各搬送面が互いに対向し合う一対の無端ベルト７３、７４と、これらがそれぞれ回転駆動可能に掛け渡される駆動ローラ７５、７６及び従動ローラ７７、７８とを有する紙幣幅寄せ機構７２を備え、さらに、この紙幣幅寄せ機構７２を成す一対の無端ベルト７３、７４を、それぞれ各搬送面が搬送経路３に沿って搬送経路３の上流側から下流側にかけて幅方向における他方側からそれと対向する紙幣ガイド７９側へと傾斜させて配設するものである。
【０００５】
これによれば、紙幣幅寄せ機構の一対の無端ベルト７３、７４は、各搬送面が搬送経路３に沿ってその上流側から下流側にかけて幅方向における他方側から紙幣ガイド７９側へと傾斜して循環移動するため、搬送経路３においてこの一対の無端ベルト７３、７４に挟まれた紙幣Ｓは、紙幣ガイド７９側へと斜めに移動する。このように、紙幣ガイド７９側へ移動する紙幣Ｓは、その一辺の前端側が紙幣ガイド７９に当たると、紙幣ガイド７９に沿って進行方向を曲げ、搬送経路３に沿った搬送方向へと進む。このとき、紙幣Ｓが重なり合った状態でも、重なり合った複数の紙幣Ｓがそれぞれ別々に回転駆動する一方の無端ベルト７３または他方の無端ベルト７４に接触して紙幣ガイド７９側へ移動し、それにより、各紙幣Ｓの一辺が紙幣ガイド７９と平行になるように揃えられる。また、各無端ベルト７３、７４をそれぞれ掛け渡す両側の駆動ローラ７５、７６の回転速度を互いに異ならせれば、重なり合った複数の紙幣Ｓをそれぞれ紙幣ガイド７９側に時期的にずらして移動させることができ、それにより、各紙幣Ｓの傾きを矯正するとともに、重なり合った状態を解消することができる。 
【０００６】
このように紙幣幅寄せ機構７２により傾きが矯正された紙幣Ｓは、そのまま紙幣ガイド７９に沿って進み、紙幣Ｓの前端がその下流の一対の搬送挾持ローラ８０に達すると、紙幣Ｓはこの一対の搬送挾持ローラ８０の間に挟まれ、その一辺が紙幣ガイド７９と平行な状態のまま搬送方向へさらに送り出される。このため、紙幣を位置決めして一様な姿勢で（図示しない）紙幣収納部に回収することができる。これにより、その紙幣収納部での紙幣の良否識別を容易にするとともに、その回収障害を防止することができる。
【特許文献１】特許第２９４０２３３号公報
【特許文献２】特開平６−１７９５４６号公報
【発明の開示】
【発明が解決しようとする課題】
【０００７】
ところで、特許文献１に開示されるように、回収ユニット６４が搬送手段６２とともに移動しながら、各一時保留部６３を通過するとき、そこに保留中の紙幣があればそれを把持し、次に収納部６５を通過するとき、そこで紙幣を開放してその収納部６５に収納させる装置においては、紙幣の搬送手段６２が、各一時保留部６３と収納部６５とを直列に接続する閉回路を形成して一方向に循環するように形成されるから、遊技台を曲線状に並べて配置した所謂「曲線オリジナル島」や、遊技台の配列を低くしてその上方の視界を広く確保した所謂「低いダウン島」と呼ばれる遊技設備にこれを適用する場合は、紙幣の搬送経路を曲線状に形成する特別な構成や、各遊技台に遊技媒体を供給する装置等を避けて閉回路を形成する紙幣搬送手段６２の高さを低く形成する工夫が必要となるから、このような遊技設備を施工する工期を短くし、費用を安くすることが困難であった。
【０００８】
また、特許文献２に開示されるように、紙幣の搬送経路３に紙幣幅寄せ機構７２を備えるものにおいては、この紙幣幅寄せ機構７２を構成する無端ベルト７３、７４が紙幣の搬送方向に対して傾斜して設けられた駆動軸８１により駆動されるものであるから、その紙幣幅寄せ機構７２が複雑で高価となる問題があった。  
本発明は、このような従来の問題を鑑みて、「曲線オリジナル島」や「低いダウン島」等の施工にも容易に適用することができるとともに、その機構を簡単にして、このような遊技設備を施工する場合の工期を短くするとともにその費用を安くし、さらには紙幣の搬送障害や回収障害を確実に防止することができる信頼性の高い紙幣搬送装置を提供することを目的とするものである。
【課題を解決するための手段】
【０００９】
上記課題を解決するため、請求項１に係る発明は、複数の紙幣受入部から投入された紙幣を、搬送経路に沿って纏めて収納する紙幣収納部に搬送する紙幣搬送装置において、前記搬送経路を構成する紙幣搬送通路を挟んで対称に配設された対をなす外形Ｄ字状の紙幣搬送ローラと、前記対をなす紙幣搬送ローラを常時対称に保って回転駆動する駆動手段と、前記搬送通路に沿って搬送される紙幣の傾きを修整する紙幣搬送ガイド部とを備え、前記対をなす紙幣搬送ローラは、前記駆動手段により回動され、そのＤ字状外形を成す円弧状周部が相互に対向するとき前記紙幣を挟持して前記搬送通路に沿って搬送し、前記Ｄ字状外形を成す扁平周部が相互に対向するとき前記紙幣の挟持を解除して搬送を中断し、前記紙幣の挟持が解除されるとき、前記紙幣は前記紙幣搬送ガイド部に案内されて、その自重により搬送の傾きが搬送方向に沿う向きに修整されるものである。
【００１０】
これによれば、前記搬送通路に投入された紙幣は、前記対をなす紙幣搬送ローラの円弧状周部により挟持されて前記搬送通路に沿って搬送され、また、前記紙幣搬送ローラの扁平周部に挟まれてその挟持が解除されるとき、前記紙幣搬送ガイドによりその搬送の傾きが搬送方向に沿う向きに修整されるから、前記紙幣は、簡単に構成される機構によりその搬送姿勢が一様に揃えられて下流に搬送される。
【００１１】
また、前記一対の外形Ｄ字状の紙幣搬送ローラを配置した所定長さの略直線状の前記紙幣搬送装置を折線状に連繋することにより、例えば遊技台を曲線状に並べて配置した「曲線オリジナル島」に適用する紙幣の搬送経路を容易に構成することができる。また、前記紙幣は前記一対の外形Ｄ字状の紙幣搬送ローラにより前記搬送経路に沿って搬送されるから、その搬送経路を閉回路状に形成する必要がなく、その高さを低くすることができる。
【００１２】
また、請求項２に係る発明は、前記搬送通路に沿って紙幣を搬送する搬送手段を備え、少なくとも前記搬送通路に沿う前記紙幣の搬送方向の長さを超える範囲に、前記紙幣の搬送手段として前記対をなす外形Ｄ字状の紙幣搬送ローラからなる紙幣の搬送手段を配置したものであるから、前記紙幣は、前記搬送通路においてその挟持状態が容易に解除され、前記紙幣搬送ガイド部によりその搬送姿勢が一様な状態に確実に矯正される。
【発明の効果】
【００１３】
以上説明したように請求項１に係る発明によれば、搬送通路に投入された紙幣は、対をなす外形Ｄ字状の紙幣搬送ローラや紙幣搬送ガイド等からなる簡単な機構によりその搬送姿勢が一様に揃えられて下流に搬送されるから、紙幣搬送通路内の紙幣の位置ずれ等に起因する紙幣の搬送障害や回収障害を防止して、信頼性の高い紙幣搬送装置を提供し、またそのコストを安くすることができる。また、このような紙幣搬送ローラを備えた所定長さの搬送通路を折線状に連繋して「曲線オリジナル島」に適用する搬送経路を容易に構成し、また搬送経路の高さを低くすることができるから、「曲線オリジナル島」や「低いダウン島」等の施工にも容易に適用することができ、例えばその工期を短くすることができる。
【００１４】
また、請求項２に係る発明によれば、搬送通路において、紙幣はその挟持状態が容易に解除され、紙幣搬送ガイド部によりその搬送姿勢が一様な状態に確実に矯正されるから、簡易な構成でコストが安く、信頼性の高い紙幣搬送装置を提供することができる。
【発明を実施するための最良の形態】
【００１５】
本発明に係る好適な実施例について図を参照して説明する。なお、従来と同一または同様の機能を有する構成には同符号を付す。
図１は本発明の実施の形態に係る紙幣搬送装置を示す斜視図、図２は本発明の実施の形態に係る紙幣搬送装置を示す図であって、（ａ）が正面図、（ｂ）が平面図である。図３は本発明の実施の形態に係る紙幣搬送装置の内部構成を模式的に示す斜視図、図４は本発明の実施形態に係る紙幣搬送装置の紙幣搬送ローラの回転位置を示す平面図であって、（ａ）は紙幣を挟持して搬送する状態、（ｂ）は紙幣の挟持状態が解除されて搬送姿勢が修整可能な状態をそれぞれ示すものである。
【００１６】
図１〜３に示すように、この紙幣搬送装置１は、図示しない遊技媒体貸出機等から投入された紙幣Ｓを搬送経路に沿って案内する紙幣搬送通路３を形成する搬送路ガイド５と、搬送路ガイド５を挟んで対称に配置された複数の対をなす外形Ｄ字状の紙幣搬送ローラ７と、この対をなす紙幣搬送ローラ７を対称状態に維持して回転駆動する搬送ローラ駆動手段１０等を備えている。
【００１７】
搬送路ガイド５の両側には、図示しない遊技媒体貸出機から投入された紙幣Ｓを紙幣搬送通路３に受け入れる受入部（紙幣受入部）４が設けられている。この受入部４は受け入れ紙幣Ｓを紙幣搬送通路３に案内する受入部ガイド６を備え、受入部ガイド６の一側方には受け入れ紙幣Ｓを紙幣搬送通路３に向けて搬送付勢する羽根車８が設けられている。この羽根車８は上下方向に延設された駆動軸２１に装着され、この駆動軸２１の上端部には駆動プーリ２２が設けられ、この駆動プーリ２２と搬送ローラ駆動手段１０側に配置された伝動プーリ１６との間に補助搬送伝道ベルト２３が掛け渡されている。これにより、搬送ローラ駆動手段１０の駆動によりこの羽根車８が回転駆動され、遊技媒体貸出機等から受入部４に投入された紙幣Ｓが紙幣搬送通路３に向けて搬送付勢される。
【００１８】
紙幣搬送ローラ７は、搬送路ガイド５上端の直上に紙幣搬送通路３を挟んで対称状態に対をなして配設されている。また、搬送ローラ駆動手段１０は、この紙幣搬送ローラ７をそれぞれ装着して上下に延設された駆動軸１１と、それぞれの駆動軸１１を軸受１２を介して保持する駆動伝動部取付部材１３等とを備えている。また、この駆動軸１１は駆動伝動部取付部材１３を貫通して上方に突出し、その上端部にはそれぞれ駆動プーリ１５が装着されている。そして、このように対をなす紙幣搬送ローラ７が紙幣搬送通路３に沿って複数配置されている。また、搬送路ガイド５の何れか一方側に配置された紙幣搬送ローラ７を駆動するものであって、紙幣搬送方向における上流、下流の両端に配置された駆動プーリ１５にはプーリ駆動ベルト１７が掛け渡されている。また、このプーリ駆動ベルト１７は、例えば両面歯付タイミングベルトで構成され、紙幣搬送ローラ７を駆動する駆動プーリ１５の何れもがこのプーリ駆動ベルト１７の内側、または外側に接して、このプーリ駆動ベルト１７の駆動により回転駆動されるように構成されている。なお、搬送路ガイド５の何れか一方の側に配置された駆動プーリ１５には下側フランジ１５ａを設け、その他方の側に配置された駆動プーリ１５には上側フランジ１５ｂを設けることで、このプーリ駆動ベルト１７を上下から挟んでこれらの駆動プーリ１５から脱落しないようにすることができる。また、プーリ駆動ベルト１７が掛け渡された駆動プーリ１５が装着された駆動軸１１であってその一方の下端部には、軸継手１９を介してこれを駆動する駆動モータ２０が設けられ、その他方の下端部には、駆動プーリ１５の回転を検出するエンコーダ部２６が設けられている。
【００１９】
紙幣搬送通路３は、上向きに開放する溝部５ａを有する搬送路ガイド５と、下向きに開放する溝部１３ａを備える駆動伝動部取付部材１３に上下から囲まれて、その溝部５ａ、１３ａの間に形成されている。搬送路ガイド５に設けられた溝部５ａは、搬送される紙幣Ｓの厚さより若干幅広に形成され、紙幣Ｓがその溝５ａ内で上下に自在に移動可能に形成されている。また、その溝５ａの高さは、搬送される紙幣Ｓの高さの略半分の高さに形成されている。また、駆動伝動部取付部材１３に設けられた溝部１３ａは、紙幣Ｓの搬送に支障がない程度に幅広に形成されている。
【００２０】
図３に示すように紙幣搬送ローラ７は外形Ｄ字状に形成され、搬送路ガイド５と駆動伝動部取付部材１３に囲まれて形成された紙幣搬送通路３を挟んでその両側に対称状態で対をなして配置されている。そしてこれらの対をなす紙幣搬送ローラ７が紙幣搬送通路３に沿って複数配置されている。これらの対をなす紙幣搬送ローラ７は、互いに反対方向に同時に回転され、その対称状態が維持されながら回転される。そして、図４（ａ）に示すように紙幣搬送ローラ７のＤ字状外形を成す円弧状週部７ａが互に対向するとき、その間に紙幣搬送通路３にある紙幣Ｓを両側から挟持してその回転方向に搬送する。また、図４（ｂ）に示すように紙幣搬送ローラ７のＤ字状外形を成す扁平部７ｂが互に対向するとき、その間に間隙を形成して紙幣Ｓの両側からの挟持を解除する。このとき、挟持を解除された紙幣搬送通路３内の紙幣Ｓは上下に移動自在となり、その自重によって、その下端辺が紙幣搬送ガイド５底部に搬送方向に沿って形成された溝部５ａの底面（紙幣搬送ガイド部）５ａａに沿うようにその傾きが修整される。そして、再び紙幣搬送ローラ７のＤ字状外形を成す円弧状週部７ａが互に対向する位置に回転するとき、その姿勢が維持されて搬送される。すなわち、紙幣搬送通路３内を搬送される紙幣Ｓは、その傾きが搬送方向に沿う向きに修整された搬送姿勢で搬送される。なお、紙幣搬送ローラ７は、搬送される紙幣Ｓの高さの略中央部を挟持するような位置に配置され、紙幣Ｓをバランスよく挟持して搬送する。
【００２１】
このように構成される紙幣搬送装置１の紙幣搬送通路３に投入された紙幣Ｓは、対をなす紙幣搬送ローラ７の円弧状周部７ａにより挟持されて紙幣搬送通路３に沿って搬送され、また紙幣搬送ローラ７の扁平周部７ｂに隙間を開けて挟まれ、その挟持が解除されて上下に移動自在となるとき、搬送路ガイド５の溝部５ａの底面５ａａに紙幣Ｓの下端辺が沿うように案内され、その自重によりその搬送の傾きが紙幣の搬送方向に沿う向きに修整されるから、紙幣Ｓは、このような簡単な機構によりその搬送姿勢が一様に揃えられて下流に搬送される。したがって、これにより紙幣搬送通路３内の紙幣Ｓの位置ずれ等に起因する紙幣Ｓの搬送障害や回収障害を防止して信頼性の高い紙幣搬送装置１を提供することができる。
【００２２】
ここで、図５に示すように紙幣搬送経通路３に沿って紙幣搬送手段を備えたものにおいて、少なくとも紙幣Ｓの搬送方向の長さを超える範囲に、紙幣Ｓの搬送手段としてこのような対をなす外形Ｄ字状の紙幣搬送ローラ７を配置することが望ましい。すなわち、これにより紙幣搬送通路３に投入された紙幣Ｓの挟持状態を、その範囲において確実に解除しその搬送姿勢を搬送方向に沿ったものに修整することができるから、簡易な構成でコストが安く、信頼性の高い紙幣搬送装置１を提供することができる。なお、この「紙幣Ｓの搬送方向の長さを越える範囲」を挟んでその上流、あるいは下流域に外周円状の紙幣搬送ローラ９を設けることで、それらの流域における紙幣搬送の中段状態をなくして、総じて紙幣の搬送スピードを早め、紙幣の処理の高速化を図ることができる。
【００２３】
また、略直線状に構成される本発明の実施形態の紙幣搬送装置１を折線状に連繋することにより、例えば遊技台等を曲線状に並べて配置した「曲線オリジナル島」に適用する紙幣搬送経路を容易に構成することができる。また、このように構成される紙幣搬送機構においては、紙幣Ｓは紙幣搬送ローラ７等により紙幣搬送経路に沿って一方向のみに搬送されるから、その搬送経路を閉回路状に形成する必要がなく、その高さを低くすることができる。したがって、「曲線オリジナル島」や「低いダウン島」等の施工にも容易に適用することができ、例えばその工期を短くし、工費を安くすることができる。
【００２４】
次に、本発明を応用する他の実施例について説明する。図６は、本発明を応用する他の実施例の紙幣搬送装置５０を示す図であって、（ａ）は紙幣搬送通路５３を挟んで高さ方向に段違いに配置された外形Ｄ字状の紙幣搬送ローラ５７により紙幣Ｓが略波形状に挟持されて紙幣搬送通路５３に沿って搬送される状態を示す図、（ｂ）はこの紙幣搬送ローラ５７による紙幣Ｓの挟持が解除されて、紙幣Ｓの下端辺が紙幣搬送通路５３の底面５３ａに沿うようにその搬送姿勢が修整される状態を示す図である。なお、（ａ）、（ｂ）に示す上段の図は、紙幣搬送ローラ５７の回転位置を示す平面図、下段は紙幣搬送通路５３に対する紙幣搬送ローラ５７の高さ方向の位置を示す側面概略図である。このように、紙幣搬送ローラ５７を駆動軸５１ａ、５１ｂに装着し、紙幣搬送通路５３を挟んで高さ方向に段違いに配置することで、両側の紙幣搬送ローラ５７の外周面が接することがなく、その表面の磨滅等が防止されるから、装置の寿命を長くし、保守点検等を容易にすることができる。
【００２５】
なお、本発明は、言うまでもなく本実施の形態に示す装置にのみ限定されず、その趣旨の包含する範囲で応用変更が可能である。例えば、紙幣搬送ローラ７は、駆動プーリ１５やプーリ駆動ベルト１７による駆動に限られることなく、例えばギアやチェーン等の組み合わせによる駆動であっても当然に良い。すなわち、本発明の紙幣搬送装置１を使用する形態に応じて適宜に応用変更することが可能である。
【図面の簡単な説明】
【００２６】
【図１】本発明の実施の形態に係る紙幣搬送装置を示す斜視図である。
【図２】本発明の実施の形態に係る紙幣搬送装置を示す図であって、（ａ）が正面図、（ｂ）が平面図である。
【図３】本発明の実施の形態に係る紙幣搬送装置の内部構成を模式的に示す斜視図である。
【図４】本発明の実施形態に係る紙幣搬送装置の紙幣搬送ローラの回転位置を示す平面図であって、（ａ）は紙幣を挟持して搬送する状態、（ｂ）は紙幣の挟持状態が解除されて搬送姿勢が修整可能な状態をそれぞれ示す。
【図５】本発明の実施形態に係る紙幣搬送装置において、紙幣搬送経通路に沿って少なくとも紙幣の搬送方向の長さを超える範囲に、紙幣の搬送手段として対をなす外形Ｄ字状の紙幣搬送ローラを配置した状態を示す平面図である。
【図６】本発明を応用する他の実施例の紙幣搬送装置を示す図であって、（ａ）は紙幣搬送通路を挟んで高さ方向に段違いに配置された外形Ｄ字状の紙幣搬送ローラにより紙幣が略波形状に挟持されて紙幣搬送通路に沿って搬送される状態を示す図、（ｂ）はこの紙幣搬送ローラによる紙幣の挟持が解除されて、紙幣の下端辺が紙幣搬送通路の底面に沿うようにその搬送姿勢が修整される状態を示す図である。なお、（ａ）、（ｂ）に示す上段の図は、紙幣搬送ローラの回転位置を示す平面図、下段は紙幣搬送通路に対する紙幣搬送ローラの高さ方向の位置を示す側面概略図である。
【図７】従来の紙幣搬送装置を備えた紙幣回収装置の要部の構成を模式的に示す概略ブロック図である。
【図８】従来の他の紙幣搬送装置の要部の機構を示す正面図である。
【符号の説明】
【００２７】
１  紙幣搬送装置  
３  紙幣搬送通路
４  受入部（紙幣受入部）
５  搬送路ガイド
５ａａ  底面（紙幣搬送ガイド部）
７  紙幣搬送ローラ
７ａ  円弧状周部
７ｂ  扁平周部
１０  搬送ローラ駆動手段（駆動手段）
１１  駆動軸
１５  駆動プーリ
１７  プーリ駆動ベルト
２０  駆動モータ
【図１】
2007317049.tif 000003
【図２】
2007317049.tif 000004
【図３】
2007317049.tif 000005
【図４】
2007317049.tif 000006
【図５】
2007317049.tif 000007
【図６】
2007317049.tif 000008
【図７】
2007317049.tif 000009
【図８】
2007317049.tif 000010